(57)【要約】【課題】消費電力を低減することが可能な無線通信システムを提供する。【解決手段】無線通信システム１の無線中継装置１０は、着信メッセージを監視する着信アプリケーション処理部１３と、着信メッセージを受信した場合、Ｂｌｕｅｔｏｏｔｈ接続を介して起動信号を送信する第１のＢｌｕｅｔｏｏｔｈ通信部１２と、無線ＬＡＮ接続を介して着信メッセージに関連するデータを中継する第１の無線ＬＡＮ通信部１１と、を備え、無線端末装置２０は、Ｂｌｕｅｔｏｏｔｈ接続を介して起動信号を受信する第２のＢｌｕｅｔｏｏｔｈ通信部２２と、起動信号を受信した場合に無線ＬＡＮ接続の通信を開始する第２の無線ＬＡＮ通信部２１と、無線ＬＡＮ接続を介して着信メッセージに関連するデータの送受信を行う通信アプリケーション処理部２３とを備える。【選択図】図１
2014135540.tif 000002
【特許請求の範囲】
【請求項１】
無線端末装置と、前記無線端末装置と外部ネットワーク間の通信を中継する無線中継装置と、を備える無線通信システムであって、
前記無線中継装置は、
前記外部ネットワークからの着信メッセージを監視する着信アプリケーション処理部と、
前記着信メッセージを受信した場合、Ｂｌｕｅｔｏｏｔｈ接続を介して前記無線端末装置へ起動信号を送信する第１のＢｌｕｅｔｏｏｔｈ通信部と、
無線ＬＡＮ接続を介して前記着信メッセージに関連するアプリケーションデータを前記無線端末装置へ中継する第１の無線ＬＡＮ通信部と、を備え、
前記無線端末装置は、
前記Ｂｌｕｅｔｏｏｔｈ接続を介して前記無線中継装置から前記起動信号を受信する第２のＢｌｕｅｔｏｏｔｈ通信部と、
前記起動信号を受信した場合に省電力モードから通常モードへ遷移し、前記無線中継装置と前記無線ＬＡＮ接続の通信を開始する第２の無線ＬＡＮ通信部と、
前記無線ＬＡＮ接続を介して前記着信メッセージに関連する前記アプリケーションデータの送受信を行う通信アプリケーション処理部と、を備える、
無線通信システム。
【請求項２】
前記通信アプリケーション処理部は、前記起動信号を受信した場合に省電力モードから通常モードへ遷移し、前記アプリケーションデータの送受信を開始する、
請求項１に記載の無線通信システム。
【請求項３】
前記通信アプリケーション処理部は、前記着信アプリケーション処理部から前記着信メッセージに関連する関連情報を取得し、当該取得した関連情報に基づいて前記アプリケーションデータの送受信を行う、
請求項１または２に記載の無線通信システム。
【請求項４】
前記着信アプリケーション処理部は、ＶｏＩＰ通信の着呼を監視する着呼処理を行い、
前記通信アプリケーション処理部は、前記着信アプリケーション処理部が検出した着呼の通話処理を行う、
請求項１乃至３のいずれか一項に記載の無線通信システム。
【請求項５】
前記着信アプリケーション処理部は、電子メールの受信を監視する受信メール監視処理を行い、
前記通信アプリケーション処理部は、前記着信アプリケーション処理部が検出した受信メールのメール受信処理を行う、
請求項１乃至３のいずれか一項に記載の無線通信システム。
【請求項６】
外部ネットワークからの着信メッセージを監視する着信アプリケーション処理部と、
前記着信メッセージを受信した場合、Ｂｌｕｅｔｏｏｔｈ接続を介して無線端末装置へ起動信号を送信するＢｌｕｅｔｏｏｔｈ通信部と、
無線ＬＡＮ接続を介して前記着信メッセージに関連するアプリケーションデータを前記無線端末装置へ中継する無線ＬＡＮ通信部と、を備える、
無線中継装置。
【請求項７】
無線中継装置が着信メッセージに応じて送信した起動信号を、Ｂｌｕｅｔｏｏｔｈ接続を介して受信するＢｌｕｅｔｏｏｔｈ通信部と、
前記起動信号を受信した場合に省電力モードから通常モードへ遷移し、前記無線中継装置と無線ＬＡＮ接続の通信を開始する無線ＬＡＮ通信部と、
無線ＬＡＮ接続を介して前記着信メッセージに関連するアプリケーションデータの送受信を行う通信アプリケーション処理部と、を備える、
無線端末装置。
【請求項８】
無線端末装置と、前記無線端末装置と外部ネットワーク間の通信を中継する無線中継装置と、を備える無線通信システムにおける無線通信方法であって、
前記無線中継装置は、
前記外部ネットワークからの着信メッセージを監視し、
前記着信メッセージを受信した場合、Ｂｌｕｅｔｏｏｔｈ接続を介して前記無線端末装置へ起動信号を送信し、
無線ＬＡＮ接続を介して前記着信メッセージに関連するアプリケーションデータを前記無線端末装置へ中継し、
前記無線端末装置は、
前記Ｂｌｕｅｔｏｏｔｈ接続を介して前記無線中継装置から前記起動信号を受信し、
前記起動信号を受信した場合に省電力モードから通常モードへ遷移し、前記無線中継装置と前記無線ＬＡＮ接続の通信を開始し、
前記無線ＬＡＮ接続を介して前記着信メッセージに関連する前記アプリケーションデータの送受信を行う、
無線通信方法。
【請求項９】
コンピュータに無線中継装置の制御処理を実行させるための無線中継装置制御プログラムであって、
外部ネットワークからの着信メッセージを監視し、
前記着信メッセージを受信した場合、Ｂｌｕｅｔｏｏｔｈ接続を介して無線端末装置へ起動信号を送信し、
無線ＬＡＮ接続を介して前記着信メッセージに関連するアプリケーションデータを前記無線端末装置へ中継する、
無線中継装置制御プログラム。
【請求項１０】
コンピュータに無線端末装置の制御処理を実行させるための無線端末装置制御プログラムであって、
無線中継装置が着信メッセージに応じて送信した起動信号を、Ｂｌｕｅｔｏｏｔｈ接続を介して受信し、
前記起動信号を受信した場合に省電力モードから通常モードへ遷移し、前記無線中継装置と無線ＬＡＮ接続の通信を開始し、
前記無線ＬＡＮ接続を介して前記着信メッセージに関連するアプリケーションデータの送受信を行う、
無線端末装置制御プログラム。
【発明の詳細な説明】
【技術分野】
【０００１】
本発明は、無線通信システム、無線中継装置、無線端末装置、無線通信方法及び制御プログラムに関し、特に、外部ネットワークと通信を行う無線通信システム、無線中継装置、無線端末装置、無線通信方法及び制御プログラムに関する。
【背景技術】
【０００２】
近年、無線端末装置の一つであるスマートフォンが急激に普及している。スマートフォンは、フィーチャーフォンなどの携帯電話と比べて様々な機能を有しているため利便性が高いものの、消費電力が大きく動作時間が短くなってしまうという問題が顕在化してきている。そのため、消費電力の低減に対する期待が非常に高まっている。
【０００３】
また、スマートフォンを使った通話では、低料金をポイントにしたＶｏＩＰ（Voice over Internet Protocol）通話が広がりを見せている。ＶｏＩＰ通話、特に着呼のためには、スマートフォンでＶｏＩＰアプリ（アプリケーション）を起動し、常にＷＡＮ（Wide Area Network）側回線に接続しながら着呼状態をモニタしている必要があった。なお、アプリもしくはアプリケーションには、アプリケーションプログラム、及びＣＰＵ等でアプリケーションプログラムを実行して実現する処理部（機能ブロック）も含まれる。
【０００４】
一方、自宅などでスマートフォンをＷＡＮ側回線に接続する場合には、自宅のルータを介して接続する方法が一般的である。
【０００５】
なお、関連する無線通信システムとして、例えば特許文献１が知られている。
【先行技術文献】
【特許文献】
【０００６】
【特許文献１】特開２００６−３１９８７８号公報
【発明の概要】
【発明が解決しようとする課題】
【０００７】
上記のように、関連する無線通信システムでは、ＶｏＩＰ通話を可能とするために、スマートフォンでＶｏＩＰアプリを起動しておき、常にＷＡＮ側回線からの着呼状態をモニタする必要がある。
【０００８】
したがって、関連する無線通信システムでは、消費電力を低減することが困難であるという問題があった。
【０００９】
本発明の目的は、このような課題を解決する無線通信システム、無線中継装置、無線端末装置、無線通信方法及び制御プログラムを提供することにある。
【課題を解決するための手段】
【００１０】
本発明に係る無線通信システムは、無線端末装置と、前記無線端末装置と外部ネットワーク間の通信を中継する無線中継装置と、を備える無線通信システムであって、前記無線中継装置は、前記外部ネットワークからの着信メッセージを監視する着信アプリケーション処理部と、前記着信メッセージを受信した場合、Ｂｌｕｅｔｏｏｔｈ（登録商標）接続を介して前記無線端末装置へ起動信号を送信する第１のＢｌｕｅｔｏｏｔｈ通信部と、無線ＬＡＮ接続を介して前記着信メッセージに関連するアプリケーションデータを前記無線端末装置へ中継する第１の無線ＬＡＮ通信部と、を備え、前記無線端末装置は、前記Ｂｌｕｅｔｏｏｔｈ接続を介して前記無線中継装置から前記起動信号を受信する第２のＢｌｕｅｔｏｏｔｈ通信部と、前記起動信号を受信した場合に省電力モードから通常モードへ遷移し、前記無線中継装置と前記無線ＬＡＮ接続の通信を開始する第２の無線ＬＡＮ通信部と、前記無線ＬＡＮ接続を介して前記着信メッセージに関連する前記アプリケーションデータの送受信を行う通信アプリケーション処理部と、を備えるものである。
【００１１】
本発明に係る無線中継装置は、外部ネットワークからの着信メッセージを監視する着信アプリケーション処理部と、前記着信メッセージを受信した場合、Ｂｌｕｅｔｏｏｔｈ接続を介して無線端末装置へ起動信号を送信する第１のＢｌｕｅｔｏｏｔｈ通信部と、無線ＬＡＮ接続を介して前記着信メッセージに関連するアプリケーションデータを前記無線端末装置へ中継する第１の無線ＬＡＮ通信部と、を備えるものである。
【００１２】
本発明に係る無線端末装置は、無線中継装置が着信メッセージに応じて送信した起動信号を、Ｂｌｕｅｔｏｏｔｈ接続を介して受信する第２のＢｌｕｅｔｏｏｔｈ通信部と、前記起動信号を受信した場合に省電力モードから通常モードへ遷移し、前記無線中継装置と無線ＬＡＮ接続の通信を開始する第２の無線ＬＡＮ通信部と、無線ＬＡＮ接続を介して前記着信メッセージに関連するアプリケーションデータの送受信を行う通信アプリケーション処理部と、を備えるものである。
【００１３】
本発明に係る無線通信方法は、無線端末装置と、前記無線端末装置と外部ネットワーク間の通信を中継する無線中継装置と、を備える無線通信システムにおける無線通信方法であって、前記無線中継装置は、前記外部ネットワークからの着信メッセージを監視し、前記着信メッセージを受信した場合、Ｂｌｕｅｔｏｏｔｈ接続を介して前記無線端末装置へ起動信号を送信し、無線ＬＡＮ接続を介して前記着信メッセージに関連するアプリケーションデータを前記無線端末装置へ中継し、前記無線端末装置は、前記Ｂｌｕｅｔｏｏｔｈ接続を介して前記無線中継装置から前記起動信号を受信し、前記起動信号を受信した場合に省電力モードから通常モードへ遷移し、前記無線中継装置と前記無線ＬＡＮ接続の通信を開始し、前記無線ＬＡＮ接続を介して前記着信メッセージに関連する前記アプリケーションデータの送受信を行うものである。
【００１４】
本発明に係る無線中継装置制御プログラムは、コンピュータに無線中継装置の制御処理を実行させるための無線中継装置制御プログラムであって、外部ネットワークからの着信メッセージを監視し、前記着信メッセージを受信した場合、Ｂｌｕｅｔｏｏｔｈ接続を介して無線端末装置へ起動信号を送信し、無線ＬＡＮ接続を介して前記着信メッセージに関連するアプリケーションデータを前記無線端末装置へ中継するものである。
【００１５】
本発明に係る無線端末装置制御プログラムは、コンピュータに無線端末装置の制御処理を実行させるための無線端末装置制御プログラムであって、無線中継装置が着信メッセージに応じて送信した起動信号を、Ｂｌｕｅｔｏｏｔｈ接続を介して受信し、前記起動信号を受信した場合に省電力モードから通常モードへ遷移し、前記無線中継装置と無線ＬＡＮ接続の通信を開始し、前記無線ＬＡＮ接続を介して前記着信メッセージに関連するアプリケーションデータの送受信を行うものである。
【発明の効果】
【００１６】
本発明によれば、消費電力を低減することが可能な無線通信システム、無線中継装置、無線端末装置、無線通信方法及び制御プログラムを提供することができる。
【図面の簡単な説明】
【００１７】
【図１】実施の形態に係る無線通信システムの概要を説明するための構成図である。
【図２】実施の形態１に係る無線通信システムの構成を示す構成図である。
【図３】実施の形態１に係る無線通信システムの動作を説明するための説明図である。
【図４】実施の形態１に係る無線通信システムの動作を説明するための説明図である。
【図５】実施の形態１に係る無線通信システムの動作を説明するための説明図である。
【図６】実施の形態１に係る無線通信システムの動作を説明するための説明図である。
【図７】実施の形態１に係る無線通信システムの動作を説明するための説明図である。
【図８】実施の形態１に係る無線通信システムの構成を示す構成図である。
【図９】前提例の無線通信システムの構成を示す構成図である。
【発明を実施するための形態】
【００１８】
（実施の形態の前提例）
まず、図９を用いて、実施の形態適用前の前提例に係る無線通信システムについて説明する。図９に示すように、前提例の無線通信システム９００は、スマートフォン９２０と、スマートフォン９２０とインターネット９３０間の通信を中継するルータ９１０とを備えている。
【００１９】
ルータ９１０は、ＷＡＮ回線部９１１、ＣＰＵ部９１２、ＷＬＡＮ（Wireless LAN：無線ＬＡＮ）通信部９１３を備えている。ＷＡＮ回線部９１１は、インターネット９３０に接続し、インターネット９３０を介して外部装置等と通信を行う。ＷＬＡＮ通信部９１３は、アンテナ９１４を介してＷＬＡＮ接続しスマートフォン９２０と通信を行う。ＣＰＵ部９１２は、ＷＡＮ回線部９１１及びＷＬＡＮ通信部９１３に接続され、インターネット９３０とＷＬＡＮ接続したスマートフォン９２０間のデータ転送を行う。
【００２０】
スマートフォン９２０は、ＷＬＡＮ通信部９２１、ＣＰＵ部９２２を備えている。ＷＬＡＮ通信部９２１は、アンテナ９２４を介してＷＬＡＮ接続しルータ９１０と通信を行う。ＣＰＵ部９２２は、ＷＬＡＮ通信部９２１に接続され、ＶｏＩＰアプリ９２３を実行する。ＶｏＩＰアプリ９２３は、ＷＬＡＮ接続を介したＶｏＩＰ処理を含み、例えば、インターネット９３０への発呼処理、インターネット９３０からの着呼処理、通話処理等を含む。
【００２１】
前提例の無線通信システム９００では、ＶｏＩＰ通話を可能とするために、スマートフォン９２０でＶｏＩＰアプリ９２３を起動しておき、常にインターネット９３０からの着呼状態をモニタする必要がある。
【００２２】
したがって、前提例の無線通信システムでは、常にＷＡＮ側回線からの着呼をモニタするために、ＷＡＮ側接続用のルータへＷＬＡＮ接続していることから、電力を常に消費してしまい、消費電力を低減することが困難であるという問題があった。本発明は、このような問題に鑑みてなされたものである。
【００２３】
（実施の形態の概要）
実施の形態の説明に先立って、実施の形態の特徴についてその概要を説明する。図１は、実施の形態に係る無線通信システムの主要な構成を示している。図１に示すように、無線通信システム１は、無線端末装置２０（スマートフォン等に相当）と、無線端末装置２０と外部ネットワーク３０（インターネット等に相当）間の通信を中継する無線中継装置１０（ルータ等に相当）とを備えている。
【００２４】
無線中継装置１０は、第１の無線ＬＡＮ通信部１１、第１のＢｌｕｅｔｏｏｔｈ通信部１２、着信アプリケーション処理部１３を備えている。着信アプリケーション処理部１３（ＶｏＩＰアプリの着呼処理部等に相当）は、外部ネットワーク３０からの着信メッセージを監視する。第１のＢｌｕｅｔｏｏｔｈ通信部１２は、着信メッセージを受信した場合、Ｂｌｕｅｔｏｏｔｈ接続を介して無線端末装置２０へ起動信号を送信する。例えば、第１のＢｌｕｅｔｏｏｔｈ通信部１２は、起動信号を送信する起動信号送信部ともいえる。第１の無線ＬＡＮ通信部１１は、無線ＬＡＮ接続を介して着信メッセージに関連するアプリケーションデータを無線端末装置２０へ中継する。例えば、第１の無線ＬＡＮ通信部１１は、アプリケーションデータを中継する中継部ともいえる。
【００２５】
無線端末装置２０は、第２の無線ＬＡＮ通信部２１、第２のＢｌｕｅｔｏｏｔｈ通信部２２、通信アプリケーション処理部２３を備えている。第２のＢｌｕｅｔｏｏｔｈ通信部２２は、Ｂｌｕｅｔｏｏｔｈ接続を介して無線中継装置１０から起動信号を受信する。例えば、第２のＢｌｕｅｔｏｏｔｈ通信部２２は、起動信号を受信する起動信号受信部ともいえる。第２の無線ＬＡＮ通信部２１は、起動信号を受信した場合に省電力モードから通常モードへ遷移（起動）し、無線中継装置１０と無線ＬＡＮ接続の通信を開始する。例えば、第２の無線ＬＡＮ通信部２１は、無線ＬＡＮ通信を開始する開始部ともいえる。通信アプリケーション処理部２３（ＶｏＩＰアプリの通話処理部等に相当）は、無線ＬＡＮ接続を介して着信メッセージに関連するアプリケーションデータの送受信を行う。
【００２６】
このように、実施の形態では、無線中継装置（ルータ）を介して外部ネットワーク（ＷＡＮ側回線）に接続し、着信待ち（ＶｏＩＰ待ち受け）をしている無線端末装置（スマートフォン）において、通信アプリケーション（ＶｏＩＰアプリ）の着呼制御部分を無線中継装置（ルータ）内に持たせるようにした。これにより、無線端末装置を消費電力の少ないＢｌｕｅｔｏｏｔｈによる待ち受け状態にすることで、無線端末装置の消費電力低減を実現することができる。
【００２７】
（実施の形態１）
以下、図面を参照して本発明の実施の形態１について説明する。図２は、本実施の形態に係る無線通信システムの構成を示している。図２に示すように、無線通信システム１００は、スマートフォン１２０と、スマートフォン１２０とインターネット１３０間の通信を中継するルータ１１０とを備えている。
【００２８】
ルータ１１０は、ＷＡＮ回線部１１１、ＣＰＵ部１１２、ＷＬＡＮ通信部１１３、Ｂｌｕｅｔｏｏｔｈ通信部１１４を備えている。なお、ルータ１１０は、スマートフォン１２０とインターネット１３０間の通信を中継する装置であればよく、その他の中継装置であってもよい。スマートフォン１２０は、ＷＬＡＮ通信部１２１、ＣＰＵ部１２２、Ｂｌｕｅｔｏｏｔｈ通信部１２３を備えている。なお、スマートフォン１２０は、インターネット１３０の装置とＶｏＩＰ等のアプリケーション通信を行う装置であればよく、その他の無線端末装置であってもよい。
【００２９】
ルータ１１０では、ＷＡＮ回線部１１１は、インターネット１３０に接続し、インターネット１３０を介して外部装置等と通信を行う。
【００３０】
ＷＬＡＮ通信部１１３は、アンテナ１１６を介してＷＬＡＮ接続しスマートフォン１２０と通信を行う。ＷＬＡＮ通信部１１３は、スマートフォン１２０のＷＬＡＮ通信部１２１とＷＬＡＮ接続し、ＶｏＩＰ通信やその他の通信のためのデータ送受信を行う。
【００３１】
ＣＰＵ部１１２は、ＷＡＮ回線部１１１、ＷＬＡＮ通信部１１３及びＢｌｕｔｏｏｔｈ通信部１１４に接続され、インターネット１３０とＷＬＡＮ接続したスマートフォン１２０間のデータ転送を行う。また、ＣＰＵ部１１２は、第１のＶｏＩＰアプリ１１５を実行する。ＣＰＵ部１１２では、ＶｏＩＰ通信のために第１のＶｏＩＰアプリ１１５を動作させ、ＷＡＮ側（インターネット１３０）と常時通信を行っている。第１のＶｏＩＰアプリ１１５は、ＶｏＩＰアプリケーション中の着呼制御部分である。
【００３２】
例えば、ルータ１１０は、不図示の記憶部を備えており、記憶部に第１のＶｏＩＰアプリ１１５のアプリケーションプログラムやその他のプログラム（無線中継装置制御プログラム）が記憶されている。記憶されたプログラムをＣＰＵ部１１２（コンピュータ）で実行することで、ルータ１１０に必要となるデータ転送や第１のＶｏＩＰアプリ１１５等の処理部（機能ブロック）が実現される。
【００３３】
Ｂｌｕｅｔｏｏｔｈ通信部１１４は、アンテナ１１７を介してＢｌｕｅｔｏｏｔｈ接続しスマートフォン１２０と通信を行う。Ｂｌｕｅｔｏｏｔｈ通信部１１４は、ＣＰＵ部１１２内の第１のＶｏＩＰアプリ１１５からの着呼通知に応じて、Ｂｌｕｅｔｏｏｔｈ待ち受けしているスマートフォン１２０にＢｌｕｅｔｏｏｔｈ接続し、スマートフォン１２０内のＣＰＵ部１２２を起動させる。
【００３４】
スマートフォン１２０では、Ｂｌｕｅｔｏｏｔｈ通信部１２３は、アンテナ１２６を介してＢｌｕｅｔｏｏｔｈ接続しルータ１１０と通信を行う。Ｂｌｕｅｔｏｏｔｈ通信部１２３は、Ｂｌｕｅｔｏｏｔｈ待ち受けをしている状態で、ルータ１１０からの要求によりＢｌｕｅｔｏｏｔｈ接続し、起動信号を受信する。
【００３５】
ＣＰＵ部１２２は、ＷＬＡＮ通信部１２１及びＢｌｕｅｔｏｏｔｈ通信部１２３に接続され、第２のＶｏＩＰアプリ１２４を実行する。ＣＰＵ部１２２は、省電力モードの状態において、Ｂｌｕｅｔｏｏｔｈ通信部１２３からの起動信号に応じて起動され、同時に、第２のＶｏＩＰアプリ１２４を起動し、また、ＷＬＡＮ通信部１２１も起動する。第２のＶｏＩＰアプリ１２４は、ＶｏＩＰアプリケーション中の着呼制御を除いた部分であり、例えば、通話制御処理や発呼制御処理を含む。第２のＶｏＩＰアプリ１２４は、起動されると、ＷＬＡＮ通信部１２１を介して、ルータ１１０内の第１のＶｏＩＰアプリ１１５やＷＡＮ側(インターネット１３０)と通信を行い、ＶｏＩＰ通話処理を行う。
【００３６】
例えば、スマートフォン１２０は、不図示の記憶部を備えており、記憶部に第２のＶｏＩＰアプリ１２４のアプリケーションプログラムやその他のプログラム（無線端末装置制御プログラム）が記憶されている。記憶されたプログラムをＣＰＵ部１２２（コンピュータ）で実行することで、スマートフォン１２０に必要となる各種アプリケーションや第２のＶｏＩＰアプリ１２４等の処理部（機能ブロック）が実現される。
【００３７】
ＷＬＡＮ通信部１２１は、アンテナ１２５を介してＷＬＡＮ接続しルータ１１０と通信を行う。ＷＬＡＮ通信部１２１は、ルータ１１０のＷＬＡＮ通信部１１３とＷＬＡＮ接続し、ＶｏＩＰ通信やその他の通信のためのデータ送受信を行う。ＷＬＡＮ通信部１２１は、省電力モードの状態において、Ｂｌｕｅｔｏｏｔｈ通信部１２３からの起動信号、もしくは、ＣＰＵ部１２２からの起動信号に応じて起動し、ＷＬＡＮ通信を開始する。
【００３８】
次に、図３〜図７を用いて、本実施の形態に係る無線通信システムの着呼時の動作について説明する。
【００３９】
まず、ＶｏＩＰ通話待ち受け時の状態を説明する。図３に示すように、ＶｏＩＰ通話待ち受け時では、ルータ１１０のＣＰＵ部１１２内の第１のＶｏＩＰアプリ１１５は、ＷＡＮ側回線が接続されたインターネット１３０からの着信通知をモニタしている。このとき、スマートフォン１２０は、Ｂｌｕｅｔｏｏｔｈによる起動待ち受け状態であり、Ｂｌｕｅｔｏｏｔｈ通信部１２３は通常動作しているが、その他のＷＬＡＮ通信部１２１、ＣＰＵ部１２２は省電力モードになっている。なお、ルータ１１０がスマートフォン１２０とのみ通信する場合や、全ての無線端末装置が省電力モードの場合には、ルータ１１０のＷＬＡＮ通信部１１３を省電力モードとしてもよい。
【００４０】
次いで、図４に示すように、スマートフォン１２０への着呼があると、ルータ１１０のＣＰＵ部１１２内の第１のＶｏＩＰアプリ１１５が、ＷＡＮ側回線（インターネット１３０）からの着呼を認識する。例えば、第１のＶｏＩＰアプリ１１５は、発呼側端末（インターネット１３０側）からスマートフォン１２０宛の着呼メッセージ（接続要求や呼び出し要求など）を受信し、必要に応じて応答メッセージ等を発呼側端末へ送信する等の着呼処理を行う。
【００４１】
次いで、図５に示すように、第１のＶｏＩＰアプリ１１５は、着呼を認識すると、ルータ１１０のＢｌｕｅｔｏｏｔｈ通信部１１４とスマートフォン１２０のＢｌｕｅｔｏｏｔｈ通信部１２３を接続し、スマートフォン１２０のＣＰＵ部１２２を起動させる。すなわち、第１のＶｏＩＰアプリ１１５はＢｌｕｅｔｏｏｔｈ通信部１１４へ着呼を通知し、Ｂｌｕｅｔｏｏｔｈ通信部１１４は着呼通知に応じて起動信号をスマートフォン１２０のＢｌｕｅｔｏｏｔｈ通信部１２３へ送信し、Ｂｌｕｅｔｏｏｔｈ通信部１２３は受信した起動信号をＣＰＵ１２２へ通知し、ＣＰＵ１２２は起動信号に応じて省電力モードから通常動作モードへ遷移（起動）する。
【００４２】
次いで、図６に示すように、スマートフォン１２０のＣＰＵ部１２２が起動すると、第２のＶｏＩＰアプリ１２４とＷＬＡＮ通信部１２１が起動し、ルータ１１０のＷＬＡＮ通信部１１３を介して、ルータ１１０の第１のＶｏＩＰアプリ１１５と着呼のための通信を行う。すなわち、ＣＰＵ部１２２は、通常モードになると、第２のＶｏＩＰアプリ１２４を起動（実行）するとともに、ＷＬＡＮ通信部１２１へ起動信号を通知し、ＷＬＡＮ通信部１２１は起動信号に応じて省電力モードから通常モードへ遷移（起動）し、ルータ１１０のＷＬＡＮ通信部１１３との通信を開始する。第２のＶｏＩＰアプリ１２４は、第１のＶｏＩＰアプリ１１５とネゴシエーションを行い、通話に必要となる着呼に関連する関連情報（呼情報）を受信する。
【００４３】
次いで、図７に示すように、スマートフォン１２０の第２のＶｏＩＰアプリ１２４は、インターネット１３０を介して通話処理を開始する。すなわち、第２のＶｏＩＰアプリ１２４は、第１のＶｏＩＰアプリ１２４から受信した呼情報にしたがい、ＷＬＡＮ接続、ルータ１１０を介して、インターネット１３０の発呼側端末とＶｏＩＰ通話を行う。ＶｏＩＰのアプリケーションデータが、ルータ１１０により中継されて、スマートフォン１２０と発呼側端末との間で送受信される。
【００４４】
以上のように本実施の形態では、ＶｏＩＰ通話を行うスマートフォンで、Ｂｌｕｅｔｏｏｔｈ以外を省電力モードにしてＶｏＩＰの着信を待ち受け、ＶｏＩＰ通話用アプリを、ルータとスマートフォンに分割して持たせ、ＶｏＩＰ通話の着呼を、ルータ内のＶｏＩＰアプリでモニタし、ルータからのＢｌｕｅｔｏｏｔｈ通信で、スマートフォンを起動させることで、着呼通話を行うこととした。
【００４５】
スマートフォンは、ＶｏＩＰ通話待ち受け時に消費電力の小さなＢｌｕｅｔｏｏｔｈ通信部のみを動作させ、ＷＬＡＮ通信部などのその他の動作を省電力モードにすることで、スマートフォン全体の消費電力を低減することが出来る。
【００４６】
なお、本実施の形態と特許文献１とを対比すると、特許文献１では、省電力の状態にした場合でも、常に「移動体通信部４１６」を活動状態にしておかなければいけないため、その分の消費電力が必須である。「移動体通信部４１６」を活動状態にしておくのは、装置がＲＦ−ＩＤタグのエリア外になった時に装置自身でエリア外を判断出来ないために、システム側での判断で装置を省電力状態から通常状態に復帰させるために使用している。
【００４７】
一方、本実施の形態では、ＲＦ−ＩＤタグでなく、Ｂｌｕｅｔｏｏｔｈを使っていることで、Ｂｌｕｅｔｏｏｔｈのエリア外になった場合に、装置自身でエリア外を判断し省電力状態から通常状態に復帰することが出来る。そのため、本実施の形態であれば、省電力状態の時にＢｌｕｅｔｏｏｔｈのわずかな消費電力以外が不要であり、特許文献１よりも省電力状態とすることが出来る。
【００４８】
（実施の形態２）
以下、図面を参照して本発明の実施の形態２について説明する。本実施の形態では、実施の形態１のように第１のＶｏＩＰアプリ１１５及び第２のＶｏＩＰアプリ１２４をルータ／スマートフォンに持たせる代わりに、メールの自動受信アプリをルータ／スマートフォンに持たせる。その他の構成については、実施の形態１と同様である。
【００４９】
図８は、本実施の形態に係る無線通信システムの構成を示している。図８では、実施の形態１の図１と比べて、ルータ１１０のＣＰＵ部１１２が第１のメールアプリ１１８を実行し、スマートフォン１２０のＣＰＵ部１２２が第２のメールアプリ１２７を実行する。
【００５０】
ルータ１１０の第１のメールアプリ１１８は、メールアプリケーションのうちの受信メール監視部分である。ルータ１１０のＢｌｕｅｔｏｏｔｈ通信部１１４は、ＣＰＵ部１１２内の第１のメールアプリ１１８からの着信通知に応じて、Ｂｌｕｅｔｏｏｔｈ待ち受けしているスマートフォン１２０にＢｌｕｅｔｏｏｔｈ接続し、スマートフォン１２０内のＣＰＵ部１２２を起動させる。
【００５１】
スマートフォン１２０のＣＰＵ部１２２は、Ｂｌｕｅｔｏｏｔｈ通信部１２３からの起動信号に応じて起動され、同時に、第２のメールアプリ１２７を起動し、また、ＷＬＡＮ通信部１２１も起動する。第２のメールアプリ１２７は、メールアプリケーション中の着呼監視部分を除いた部分であり、例えば、メール受信処理やメール送信処理を含む。第２のＶｏＩＰアプリ１２４は、起動されると、ＷＬＡＮ通信部１２１を介して、ルータ１１０内の第１のメールアプリ１１８やＷＡＮ側(インターネット１３０)のメールサーバと通信を行い、メール受信処理を行う。
【００５２】
このように、本実施の形態では、メールの着信をルータでモニタすることとした。これにより、メール受信待ち受け時のスマートフォンは、消費電力の小さなＢｌｕｅｔｏｏｔｈ部のみを動作させ、ＷＬＡＮ通信部などのその他の動作を省電力モードにすることで、消費電力を低減することが出来る。
【００５３】
なお、本発明は上記実施の形態に限られたものではなく、趣旨を逸脱しない範囲で適宜変更することが可能である。例えば、上記実施の形態では、ルータとスマートフォン間の通信方式として無線ＬＡＮとＢｌｕｅｔｏｏｔｈを採用したが、その他の通信方式を採用してもよい。スマートフォンで、高い消費電力の無線インタフェースは受信機能を停止しておき、低い消費電力の無線インタフェースで着信通知を受けるようにすることで、消費電力を低減できる。
【００５４】
上記実施の形態において、ルータ及びスマートフォンの各処理（機能）は、ハードウェア又はソフトウェア、もしくはその両方によって構成してもよい。また、ルータ（無線中継装置）の制御処理を実現する無線中継装置制御プログラムやスマートフォン（無線端末装置）の制御処理を実現する無線端末制御プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００５５】
１      無線通信システム
１０    無線中継装置
１１    第１の無線ＬＡＮ通信部
１２    第１のＢｌｕｅｔｏｏｔｈ通信部
１３    着信アプリケーション処理部
２０    無線端末装置
２１    第２の無線ＬＡＮ通信部
２２    第２のＢｌｕｅｔｏｏｔｈ通信部
２３    通信アプリケーション処理部
３０    外部ネットワーク
１００  無線通信システム
１１０  ルータ
１１１  ＷＡＮ回線部
１１２  ＣＰＵ部
１１３  ＷＬＡＮ通信部
１１４  Ｂｌｕｅｔｏｏｔｈ通信部
１１５  第１のＶｏＩＰアプリ
１１６、１１７  アンテナ
１１８  第１のメールアプリ
１２０  スマートフォン
１２１  ＷＬＡＮ通信部
１２２  ＣＰＵ部
１２３  Ｂｌｕｅｔｏｏｔｈ通信部
１２４  第２のＶｏＩＰアプリ
１２５、１２６  アンテナ
１２７  第２のメールアプリ
１３０  インターネット
【図１】
2014135540.tif 000003
【図２】
2014135540.tif 000004
【図３】
2014135540.tif 000005
【図４】
2014135540.tif 000006
【図５】
2014135540.tif 000007
【図６】
2014135540.tif 000008
【図７】
2014135540.tif 000009
【図８】
2014135540.tif 000010
【図９】
2014135540.tif 000011